(57)【要約】【課題】  適正な止血時間に関する情報を簡便に確実に申し送りする止血器具を提供する。【解決手段】  本発明の止血器具１は、肢体の止血すべき部位に巻き付けるための帯体２と、前記帯体より硬質な材料で構成された湾曲板４と、帯体２を肢体に巻き付けた状態で固定する面ファスナー３（固定手段）と、帯体２に連結された、流体を注入することにより拡張するバルーン５と、バルーン５を止血すべき部位に位置合わせするためのマーカー７とを備え、書き込み可能な着用時間表示手段が帯体２の肢体に巻き付けたときの外側表面に設けられる。【選択図】  図１
2012029938.tif 000002
【特許請求の範囲】
【請求項１】
肢体の止血すべき部位に巻き付ける可撓性を有する帯体と、
前記帯体を前記肢体に巻き付けた状態で固定する固定手段と、
前記帯体より硬質な材料で構成され、その少なくとも一部が内周側に向かって湾曲した湾曲板と、
前記湾曲板の内側に設置され、流体を注入することにより拡張するバルーンと、
前記バルーンを前記止血すべき部位に位置合わせするためのマーカとを備え、
止血器具の着用時間を表示する着用時間表示手段を設けたことを特徴とする止血器具。
【請求項２】
前記着用時間表示手段は、文字及び／又は記号の書き込みが可能なラベルであることを特徴とする請求項１に記載の止血器具。  
【請求項３】
前記着用時間表示手段は、文字盤を備えていることを特徴とする請求項１又は２に記載の止血器具。  
【請求項４】
前記文字盤は、時計盤であることを特徴とする請求項３に記載の止血器具。
【請求項５】
前記文字盤は、時間帯表示手段を備えていることを特徴とする請求項３又は４に記載の止血器具。    
【請求項６】
前記着用時間表示手段は、前記帯体の湾曲板保持部の外表面に設けられていることを特徴とする請求項１〜請求項５のいずれかに記載の止血器具。
【請求項７】
肢体の止血すべき部位に巻き付ける可撓性を有する透明な帯体と、
前記帯体を前記肢体に巻き付けた状態で固定する固定手段と、
前記帯体より硬質な材料で構成され、その少なくとも一部が内周側に向かって湾曲した湾曲板と、
前記湾曲板の内側に設置され、流体を注入することにより拡張するバルーンと、
前記バルーンを前記止血すべき部位に位置合わせするためのマーカとを備え、
前記透明な帯体の少なくとも一部に記入が可能な非透明部を設けたことを特徴とする止血器具。
【請求項８】
前記記入が可能な非透明部は、文字及び／又は記号の書き込みが可能なラベルであることを特徴とする請求項７に記載の止血器具。
【請求項９】
前記記入が可能な非透明部は、シールであることを特徴とする請求項７又は請求項８に記載の止血器具。
【請求項１０】
前記記入が可能な非透明部は、前記帯体の湾曲板保持部の外表面に設けられていることを特徴とする請求項７〜請求項９のいずれかに記載の止血器具。
【発明の詳細な説明】
【技術分野】
【０００１】
本発明は、穿刺部位を圧迫して止血する止血器具に関する。
【背景技術】
【０００２】
腕または脚に形成された穿刺部位に導入されたイントロデューサーシースの内腔を介してカテーテル等を経皮的に血管等の病変部に挿入して治療・検査などを行った場合、そのイントロデューサーシースを抜去した後の穿刺部位を止血する必要がある。この止血を行うために、腕または脚の穿刺部位に巻き付けるための帯体と、このベルトを穿刺部位に巻き付けた状態で固定する固定手段と、流体を注入することにより拡張し、穿刺部位を圧迫するバルーンとを備えた止血器具が知られている（例えば、特許文献１参照）。
【先行技術文献】
【特許文献】
【０００３】
【特許文献１】特許第３９７４４６７号公報
【発明の概要】
【発明が解決しようとする課題】
【０００４】
このような止血器具は、腕または脚の穿刺部位に巻き付けた帯体を固定手段によってしっかり固定することにより、穿刺部位を圧迫するバルーンの圧力を維持した状態で医師がイントロデューサーシースを抜去し、カテーテル等のサイズに対応した所定の止血時間の経過後に看護士が取り外すのが通例である。
【０００５】
従って、医師は、患者の止血器具着用時間に関する情報を、何らかの手段を用いて正確に看護師に申し送りする必要がある。
【０００６】
しかし、イントロデューサーシースを抜去すると用いたカテーテル等のサイズすなわち血管にあけた穴のサイズが目視ではわからなくなるため、医師から看護士への申し送りが確実に実行されないと、止血が完了しておらず、出血が続く状態で止血器具を取り外してしまったり、不必要に長く止血器具を装着したままでいたりする問題が生じることがあった。
【０００７】
本発明は、適正な止血時間に関する情報を簡便に確実に申し送りする止血器具を提供することを目的とする。
【課題を解決するための手段】
【０００８】
このような目的は、下記（１）〜（１０）の本発明により達成される。
【０００９】
（１）肢体の止血すべき部位に巻き付ける可撓性を有する帯体と、その帯体を肢体に巻き付けた状態で固定する固定手段と、前記帯体より硬質な材料で構成され、その少なくとも一部が内周側に向かって湾曲した湾曲板と、湾曲板の内側に設置され、流体を注入することにより拡張するバルーンと、バルーンを止血すべき部位に位置合わせするためのマーカとを備え、止血器具の着用時間を表示する着用時間表示手段を設けたことを特徴とする止血器具。
【００１０】
（２）着用時間表示手段は、文字及び／又は記号の書き込みが可能なラベルであることを特徴とする（１）に記載の止血器具。
（３）着用時間表示手段は、文字盤を備えていることを特徴とする（１）又は（２）に記載の止血器具。
（４）文字盤は、時計盤であることを特徴とする（３）に記載の止血器具。
（５）文字盤は、時間帯表示手段を備えていることを特徴とする（３）又は（４）に記載の止血器具。  
【００１１】
（６）前記着用時間表示手段は、前記帯体の湾曲板保持部の外表面に設けられていることを特徴とする（１）〜（５）のいずれかに記載の止血器具。
【００１２】
（７）肢体の止血すべき部位に巻き付ける可撓性を有する透明な帯体と、前記帯体を前記肢体に巻き付けた状態で固定する固定手段と、前記帯体より硬質な材料で構成され、その少なくとも一部が内周側に向かって湾曲した湾曲板と、前記湾曲板の内側に設置され、流体を注入することにより拡張するバルーンと、前記バルーンを前記止血すべき部位に位置合わせするためのマーカとを備え、前記透明な帯体の少なくとも一部に記入が可能な非透明部を設けたことを特徴とする止血器具。
【００１３】
（８）前記記入が可能な非透明部は、文字及び／又は記号の書き込みが可能なラベルであることを特徴とする（７）に記載の止血器具。
（９）前記記入が可能な非透明部は、シールであることを特徴とする（７）又は（８）に記載の止血器具。
（１０）前記記入が可能な非透明部は、前記帯体の湾曲板保持部の外表面に設けられていることを特徴とする（７）〜（９）のいずれかに記載の止血器具。
【発明の効果】
【００１４】
本発明によれば、適正な止血時間に関する情報を簡便に確実に申し送りする止血器具を提供することができる。
【図面の簡単な説明】
【００１５】
【図１】本発明の着用時間表示手段を備えた止血器具の実施形態を示す底面図（手首に装着したときの外面側が見える状態）である。
【図２】図１に示す着用時間表示手段を備えた止血器具の止血時の使用状態を示す模式的断面図である。
【図３】本発明の着用時間表示手段を備えた止血器具の実施例１を示す模式図である。
【図４】本発明の着用時間表示手段を備えた止血器具の実施例２を示す模式図である。
【図５】本発明の着用時間表示手段を備えた止血器具の実施例３を示す模式図である。
【発明を実施するための形態】
【００１６】
以下、本発明の着用時間表示手段を備えた止血器具を実施するための形態（以下、「実施形態」という。）に基づいて図面を参照して詳細に説明する。以下に示す実施形態は、本発明の技術的思想を具体化するための物や方法を例示するものであって、本発明の技術的思想は、止血器具に限定せず、医用器具一般に適用可能であり、また、構成材料の種類、構成条件等を下記のものに特定するものでない。本発明の技術的思想は、特許請求の範囲に記載された技術的範囲内において、種々の変更を加えることができる。
【００１７】
図１は、本発明の着用時間表示手段を備えた止血器具の実施形態を示す底面図（手首に装着したときの外面側が見える状態）であり、図２は、図１に示す本発明の着用時間表示手段を備えた止血器具の実施形態の止血時の使用状態を示す模式的断面図である。
【００１８】
図１に示す着用時間表示手段を備えた止血器具は、治療・検査などを行うカテーテル等を血管内に挿入する目的で手首５００（肢体）に形成された穿刺部位５１０（止血すべき部位）に留置していたイントロデューサーシースを抜去した後、その穿刺部位５１０を止血するのに使用するものであり、手首５００に巻き付けるための巾約４０ｍｍの帯体２と、帯体２を手首５００に巻き付けた状態で固定する固定手段としての通気性材料からなる面ファスナー３と、湾曲板４と、バルーン５と、補助バルーン６と、マーカ７と、着用時間表示部材９とを備えている。
【００１９】
帯体２は、可撓性を有する帯状の部材である。図２に示すように、帯体２は、手首５００の外周を一周するように巻き付けられ、その両端付近の部分を互いに重ね合わせるようにして、手首５００に装着される。そして、帯体２は、この重ね合わせ部分が一般にマジックテープ（登録商標）などと呼ばれる面ファスナー３によって固定（接合）される。面ファスナー３は、図１の左端部に示した可撓性のある雄側面ファスナー３１と、図１の右端部に示した雌側面ファスナー３２とからなる。帯体２の固定は、まず雌側面ファスナー３２の部分から始めて帯体２を手首５００に巻き付け、次いでこの雌側面ファスナー３２に帯体２のもう一方の端部の雄側面ファスナー３１を重ねることにより行う。したがって、固定された面ファスナー３は、帯体２の両端部に挟まれるようになる。
【００２０】
帯体２の構成材料は、穿刺部位５１０を視認できる材料であれば特に限定されず、例えば、ポリ塩化ビニル、ポリエチレン、ポリプロピレン、ポリブタジエン、エチレン−酢酸ビニル共重合体（ＥＶＡ）のようなポリオレフィン、ポリエチレンテレフタレート（ＰＥＴ）、ポリブチレンテレフタレート（ＰＢＴ）のようなポリエステル、ポリ塩化ビニリデン、シリコーン、ポリウレタン、ポリアミドエラストマー、ポリウレタンエラストマー、ポリエステルエラストマー等の各種熱可塑性エラストマー、あるいはこれらを任意に組み合わせたもの（ブレンド樹脂、ポリマーアロイ、積層体等）が挙げられる。
【００２１】
なお、帯体２は実質的に透明（可視光透過性）であることが好ましい。これにより、穿刺部位５１０を外側から確実に視認することができ、後述するマ−カ７を穿刺部位５１０に容易に位置合わせすることができる。それに対し、着用時間表示部材９は非透明（非可視光透過性）であることが好ましい。これにより、帯体２の透明と同色にならず見やすくなる。
【００２２】
帯体２の中央部には、後述する湾曲板４を保持する湾曲板保持部２１が形成されている。湾曲板保持部２１は、外面側（または内面側）に別個の帯体の部材が融着（熱融着、高周波融着、超音波融着等）または接着（接着剤や溶媒による接着）等の方法により接合されることにより、２重になっており、それらの隙間に挿入された湾曲板４を保持する。
【００２３】
帯体２を手首５００に巻き付けた状態で固定する固定手段としては、面ファスナー３に限らず、例えば、スナップ、ボタン、クリップ、帯体２の端部を通す枠部材であってもよい。
【００２４】
湾曲板４は、帯体２の２重に形成された湾曲板保持部２１の間に挿入されることにより帯体２に保持されている。
【００２５】
湾曲板４は、その少なくとも一部が内周側に向かって湾曲した形状をなしている。この湾曲板４は、帯体２よりも硬質な材料で構成されており、ほぼ一定の形状を保つようになっている。
【００２６】
実施形態では、湾曲板４は、帯体２の長手方向に長い形状をなしている。図２に示すように、この湾曲板４の長手方向の中央部４１は、ほとんど湾曲せずに平板状になっており、この中央部４１の両側には、それぞれ、内周側に向かって、かつ、帯体２の長手方向（手首５００の周方向）に沿って湾曲した湾曲板４２が形成されている。すなわち、湾曲板４２の曲率半径Ｒ２は、中央部４１の曲率半径Ｒ１（図示の構成では、Ｒ１は、ほぼ１８０°）より小さい。
【００２７】
湾曲板４の構成材料としては、穿刺部位５１０を視認できる材料であれば特に限定されず、例えば、アクリル樹脂、ポリ塩化ビニル（特に硬質ポリ塩化ビニル）、ポリエチレン、ポリプロピレン、ポリブタジエンのようなポリオレフィン、ポリスチレン、ポリ−（４−メチルペンテン−１）、ポリカーボネート、ＡＢＳ樹脂、ポリメチルメタクリレート（ＰＭＭＡ）、ポリアセタール、ポリアクリレート、ポリアクリロニトリル、ポリフッ化ビニリデン、アイオノマー、アクリロニトリル−ブタジエン−スチレン共重合体、ポリエチレンテレフタレート（ＰＥＴ）、ポリブチレンテレフタレート（ＰＢＴ）のようなポリエステル、ブタジエン−スチレン共重合体、芳香族または脂肪族ポリアミド、ポリテトラフルオロエチレン等のフッ素系樹脂等が挙げられる。
【００２８】
なお、湾曲板４は実質的に透明（可視光透過性）であることが好ましい。これにより、穿刺部位５１０を外側から確実に視認することができ、後述するマ−カ７を穿刺部位５１０に容易に位置合わせすることができる。
【００２９】
なお、湾曲板４は、中央部４１のような湾曲していない部分を有さないもの、すなわち、その全長に渡り湾曲しているものであってもよい。
【００３０】
帯体２には、可撓性を有する材料で構成されたバルーン５が連結されている。バルーン５は、流体（空気等の気体もしくは液体）を注入することにより拡張し、手首５００の穿刺部位５１０を圧迫する。
【００３１】
バルーン５は、帯体２に保持されている湾曲板４の長手方向の一端側に片寄って位置している。すなわち、図示の構成では、バルーン５は、湾曲板４の図１中のほぼ右半分側と重なるように位置している。
【００３２】
バルーン５の構成材料は、穿刺部位５１０を視認できる材料であれば特に限定されず、例えば、前述した帯体２の構成材料と同様のものを用いることができる。また、バルーン５は、帯体２と同質または同種の材料で構成されるのが好ましい。これにより、融着による帯体２との接合を容易に行うことができ、容易に製造することができる。
【００３３】
なお、バルーン５は実質的に透明（可視光透過性）であることが好ましい。これにより、穿刺部位５１０を外側から確実に視認することができ、後述するマ−カ７を穿刺部位５１０に容易に位置合わせすることができる。
【００３４】
バルーン５の構造は、例えば、前述したような材料からなるシート材の縁部を融着または接着等の方法によりシールして袋状に形成したものとすることができる。図示の構成では、バルーン５は、拡張していない状態では、四角形をなしている。
【００３５】
このようなバルーン５は、可撓性を有する連結部１１を介して、帯体２に連結されている。実施形態では、バルーン５は、湾曲板４に対し片寄った側、すなわち、図１中の右側のみが連結部１１を介して帯体２に連結されている。この連結部１１は、その実質的な長さが比較的短くされ、これにより、バルーン５が湾曲板に対し片寄った位置に係留される。なお、連結部１１は、バルーン５と同材質で構成されているのが好ましい。
【００３６】
バルーン５の外面側、すなわち穿刺部位５１０と接触する面と反対側にはマーカ７が設けられている。バルーン５にこのようなマーカ７を設けることによって、バルーン５を穿刺部位５１０に容易に位置合わせすることができる。そして、バルーン５の位置ズレによる血液の漏れや血腫の発生が抑制される。
【００３７】
図１に示すように、マーカ７はバルーン５の中心部に設けることが好ましい。これにより、バルーン５の中心部を穿刺部５１０に位置合わせすることが可能であるため、バルーン５を拡張させた際に、バルーン５の押圧（圧迫）力が穿刺部位５１０に対して確実に作用する。
【００３８】
マーカ７の形状は、特に限定されず、例えば、円形、三角形、四角形等が挙げられ、図１では中抜きの円形をなしている。
【００３９】
なお、マーカ７はバルーン５の内面側、すなわちバルーン５の穿刺部位５１０と接触する面側に設けてもよい。
【００４０】
また、マーカ７をバルーン５に設けるのではなく、帯体２もしくは湾曲板４あるいは後述する補助バルーン６に設けてもよい。この場合も、マーカ７がバルーン５の中心部に重なるように設けることが好ましい。
【００４１】
図１に示すように、バルーン５には、バルーン５内に流体を注入するための注入部８が接続されている。注入部８は、その基端部がバルーン５に接続され、その内腔がバルーン５の内部に連通する可撓性を有するチューブ８１と、チューブ８１の先端部に設置された袋体８２と、袋体８２に接続された管状のコネクタ８３とで構成されている。
【００４２】
バルーン５を拡張（膨張）させる際には、コネクタ８３にシリンジ（図示していない）の先端突出部を挿入し、このシリンジの押し子を押して、シリンジ内の流体を注入部８を介してバルーン５内に注入する。バルーン５内に流体を注入した後、コネクタ８３からシリンジの先端突出部を抜去すると、コネクタ８３に内蔵された逆止弁が閉じて流体の露出が防止され、バルーン５が膨張した状態が維持される。
【００４３】
図２に示すように、湾曲板４とバルーン５との間には、可撓性を有する材料で構成された補助バルーン６が、バルーン５と重なるようにして設けられている。この補助バルーン６は、バルーン５を押圧する押圧部材として機能するものである。
【００４４】
補助バルーン６は、内部に充填された流体の圧力により、図２中の矢印ｆで示すように、バルーン５をほぼ手首５００の中心部５２０に向かう方向に押圧する。このような補助バルーン６からの押圧力を受けることにより、バルーン５は、図２中の矢印Ｆで示すように、穿刺部位５１０を上から下へ垂直な方向（手首５００の表面に対して垂直な方向）ではなく、傾斜した方向（手首５００の中心部５２０に向かうような方向）に押圧（圧迫）する。これにより、本発明は、穿刺部位５１０を上から下へ垂直な方向に押圧（圧迫）する場合と比べ、より優れた止血効果が得られる。
【００４５】
補助バルーン６の構成材料としては、穿刺部位５１０を視認できる材料であれば特に限定されず、例えば、前述した帯体２の構成材料と同様のものを用いることができる。そして、補助バルーン６は実質的に透明（可視光透過性）であることが好ましい。これにより、穿刺部位５１０を外側から確実に視認することができ、マ−カ７を穿刺部位５１０に容易に位置合わせすることができる。
【００４６】
また、実施形態では、補助バルーン６は、帯体２の長手方向についての幅がバルーン５よりも小さくされていることにより、その大きさがバルーン５よりも小さくなっており、バルーン５を局所的に押圧する。これにより、バルーン５から穿刺部位５１０への押圧力Ｆの方向をより確実に傾斜させることができる。
【００４７】
さらに、実施形態では、前述したように、湾曲板４は、バルーン５が片寄った側（図２中の右側）に、その中央部４１よりも曲率半径が小さい湾曲部４２を有している。そして、補助バルーン６は、湾曲板４の湾曲部４２またはそれより図２中の右側の部分に（帯体２を介して）接触する。これにより、補助バルーン６が湾曲板４から受ける力の方向、換言すれば、補助バルーン６が（帯体２を介して）接触する部分の湾曲板４の法線方向は、手首５００の中心部５２０に向かうような方向に傾斜することになる。その結果、押圧力ｆや押圧力Ｆの方向をより確実に傾斜させることができる。
【００４８】
また、実施形態では、バルーン５の一部と補助バルーン６の一部とは、互いに融着または接着等の方法により接合されている。そして、その接合部には、バルーン５の内部と補助バルーン６の内部とを連通する連通部（開口部）１２が形成されている。これにより、前述したようにしてバルーン５に液体を注入すると、注入された流体の一部が連通部１２を介して補助バルーン６内に流入し、バルーン５の拡張に伴って補助バルーン６が拡張する。これにより、１回の操作で両者を拡張させることができ、操作性に優れる。
【００４９】
このような補助バルーン６は、固着部１３を介して、バルーン５の連結部１１と同じ側（図２中の右側）で帯体２に連結されている。これにより、補助バルーン６がより容易かつ確実に傾斜した姿勢になるため、バルーン５に対する押圧力ｆが傾斜した方向（バルーン５をほぼ手首５００の中心部５２０に向かわせるような方向）により作用し易くなり、より優れた止血効果が得られる。
【００５０】
なお、本発明ではバルーン５を押圧する押圧部材は、補助バルーン６に限らず、例えば、スポンジ状の物質、弾性材料、綿（わた）のような繊維の集合体、またはこれらの組み合わせなどによって形成されたパッドのような部材であってもよい。
【００５１】
本発明では、手首５００に巻き付けた帯体２の外側表面の、湾曲板４が保持されていて湾曲板４がバルーン５と重ならない部分に、着用時間表示部材９が貼り付けられている。手首内側の帯体２のこの部分では、湾曲板４が土台となっているため記載がし易い。着用時間表示部材の貼り付け位置は、看護士が記載しやすい可撓性のある雄側面ファスナー３１の部分の帯体２の外側表面でもよい。また、着用時間表示部材９は非透明である。
【００５２】
着用時間表示部材９には、患者名、カテーテルサイズ、止血開始時間、止血終了時間等の申し送り事項を医師が明示できるようになっている。
【００５３】
次に、着用時間表示手段を備えた止血器具１の使用方法について説明する。
【００５４】
［１］
着用時間表示手段を備えた止血器具１を手首５００に装着する前は、バルーン５および補助バルーン６は、拡張していない状態とされている。手首５００の場合、通常、動脈への穿刺部位５１０は、手首５００の内側（腱がある側）の親指側へ片寄った位置にある。通常、穿刺部位５１０にはイントロデューサーシースが留置されている。このイントロデューサーシースが留置されたままの状態の手首５００に帯体２をゆるく巻き付け、バルーン５に設けられたマーカ７が穿刺部位５１０上に重なるようにバルーン５を位置合わせして、帯体２の両端部付近で雌側面ファスナー３２に雄側面ファスナー３１を重ねて固定する。
【００５５】
［２］
着用時間表示手段を備えた止血器具１を手首５００に装着した後、注入部８のコネクタ８３にシリンジ（図示していない）を接続し、前述したようにして流体をバルーン５および補助バルーン６内に症例に応じて所定量注入し、バルーン５および補助バルーン６を拡張させる。
【００５６】
［３］
バルーン５および補助バルーン６を拡張させたら、コネクタ８３からシリンジを離脱させる。そして穿刺部位５１０からイントロデューサーシースを抜去する。これにより、バルーン５および補助バルーン６は、拡張状態を維持し、穿刺部位５１０への所定の圧迫力による圧迫状態が維持され（図２参照）、止血が開始される。この状態では、バルーン５が穿刺部位５１０（およびその周辺）を局所的に押圧するとともに、バルーン５および補助バルーン６の拡張により、湾曲板４は、手首５００の表面から離間して、手首５００に接触し難くなる。これにより、穿刺部位５１０（およびその周辺）が集中して圧迫力を受ける。
【００５７】
この穿刺部位５１０からイントロデューサーシースを抜去するまでの止血作業は医師が行う。イントロデューサーシースを抜去したら、医師は着用時間表示手段に、患者名、カテーテルサイズ、止血開始時間、止血終了時間等の申し送り事項を明示する。
【００５８】
［４］  
穿刺部位５１０からイントロデューサーシースを抜去した後、カテーテルサイズによって異なる止血時間が経過したら、看護士が再びコネクタ８３にシリンジを接続してバルーン５内の流体を排出し、次いで着用時間表示手段を備えた止血器具を手首５００から取り外して止血を完了する。なお、止血時間表示部材９に記載された時間を目安として看護士が段階的に空気を抜いてもよい。
【００５９】
止血の開始から完了までの止血時間は、用いるカテーテルのサイズにより、通常２〜３時間から６〜７時間である。
【実施例】
【００６０】
（実施例１）
図３は、本発明の着用時間表示手段を備えた止血器具の実施例１を示す模式図である。
【００６１】
実施例１においては、着用時間表示手段９としてラベル９１を用いて、上記［１］〜［４］の着用時間表示手段を備えた止血器具１の使用方法を実施した。
【００６２】
帯体２に貼り付けられたラベル９１に、医師は、止血開始時にボールペン、マジックペン等の筆記用具を用いて、患者名、カテーテルサイズ、止血開始時間、止血終了時間等の申し送り事項を記入することができる。
【００６３】
ラベル９１の部材としては、紙やプラスチック製のシール、又は熱で添付させるヒートシール等の素材を用いることができるが、ボールペンで記載可能な素材として紙製シールやヒートシールを用いることが好ましい。
【００６４】
これらラベル用素材にコーティングがある場合は、ＵＶ硬化ジェットインクや顔料インクを用いて、インクジェットプリンタにより枠組をプリントすることができる。また着用時間表示部材９は筆記具により記載できるものに限らず、粘着部材の貼付けまたは引き剥がしにより表示可能としたものでもよい。
【００６５】
（実施例２）
図４は、本発明の着用時間表示手段を備えた止血器具の実施例２を示す模式図である。
【００６６】
実施例２においては、着用時間表示手段９として時計盤９３Ａを備えた文字盤９２Ａを用いて、上記［１］〜［４］の着用時間表示手段を備えた止血器具１の使用方法を実施した。
【００６７】
実施例１のラベル９１と同様の素材からなる文字盤９２Ａには、片面に粘着剤を設けた止血開始マーク９４及び止血終了マーク９５が備えられており、医師は、時計盤９３Ａの止血開始時間の位置に止血開始マーク９４を、時計盤９３Ａの止血終了予定時間の位置に止血終了マーク９５を貼り付けることができる。
【００６８】
止血開始マーク９４と止血終了マーク９５は、互に色を変えるか、形状を変えるかして、一見して区別できるようにすることが好ましい。
【００６９】
医師は又、文字盤９２Ａの記入スペース９６Ａに、ボールペン、マジックペン等の筆記用具で患者名、カテーテルサイズ、止血開始時間、止血終了時間等の申し送り事項を記入することができる。
【００７０】
止血開始マーク９４及び止血終了マーク９５を用いる替りに、時計盤９３Ａに止血開始時間、止血終了時間を示すマークを筆記用具で記入してもよい。
【００７１】
（実施例３）
図５は、本発明の着用時間表示手段を備えた止血器具の実施例３を示す模式的断面図である。
【００７２】
実施例３においては、着用時間表示手段９として時計盤９３Ｂを備えた文字盤９２Ｂを用いて、上記［１］〜［４］の着用時間表示手段を備えた止血器具１の使用方法を実施した。
【００７３】
実施例１のラベル９１と同様の素材からなる文字盤９２Ｂは、互いに色の異なる粘着剤で貼り付けられた２層の紙等のシートからなる直線状の時計盤９３Ｂを備えている。直線状の時計盤９３Ｂは、上層シートに３０分間隔で切れ目が入れてあり、医師は所望の時間帯にわたって上層シートを引き剥がして止血時間帯を表示することができる。
【００７４】
図５は、止血開始時間が１６：３０で、止血終了時間が２３：３０の場合の例を示しており、１６：３０〜２３：３０の時間帯が、上層シートを引き剥がすことにより下層シートの色で表示されている。
【００７５】
医師は又、文字盤９２Ｂの記入スペース９６Ｂに、ボールペン、マジックペン等の筆記用具で患者名、カテーテルサイズ、止血開始時間、止血終了時間等の申し送り事項を記入することができる。
【００７６】
以上、本発明の着用時間表示手段を備えた止血器具を図示の実施形態に基づいて説明したが、本発明は、これに限定されるものではなく、着用時間表示手段を備えた止血器具を構成する各部は、同様の機能を発揮し得る任意の構成のものと置換することができる。また、任意の構成物が付加されていてもよい。
【００７７】
また、本発明の着用時間表示手段を備えた止血器具は、手首に装着して使用するものに限らず、腕または脚（本明細書では、これらを総称して「肢体」という）のいかなる部分に装着して使用する着用時間表示手段を備えた止血器具にも適用することができる。
【００７８】
以上、本発明の好ましい実施形態について詳述したが、本発明は上述した実施形態に限定されるものではなく、特許請求の範囲に記載された本発明の要旨の範囲内において、種々の変形、変更が可能である。
【産業上の利用可能性】
【００７９】
本発明に係る着用時間表示手段を備えた止血器具を用いると、医師がイントロデューサーシースを抜去して止血を開始してから、止血が終了して看護士が止血器具を取り外すまでの止血器具着用時間に関する個々の患者の情報を、医師が看護士に簡便に確実に申し送りすることが可能となり、臨床医療現場での利用可能性は極めて大きい。
【符号の説明】
【００８０】
１  着用時間表示部材を備えた止血器具
１１  連結部
１２  連通部
１３  固着部
２  帯体
２１  湾曲板保持部
３  面ファスナー
３１  雄側面ファスナー
３２  雌側面ファスナー
４  湾曲板
４１  中央部
４２  湾曲部
５  バルーン
６  補助バルーン
７  マーカ
８  注入部
８１  チューブ
８２  袋体
８３  コネクタ
５００  手首
５１０  穿刺部位
５２０  中心部
９  着用時間表示部材
９１    ラベル
９２Ａ  文字盤
９３Ａ  時計盤
９４  止血開始マーク
９５  止血終了マーク
９６Ａ  記入スペース
９２Ｂ  文字盤
９３Ｂ  時計盤
９６Ｂ  記入スペース
【図１】
2012029938.tif 000003
【図２】
2012029938.tif 000004
【図３】
2012029938.tif 000005
【図４】
2012029938.tif 000006
【図５】
2012029938.tif 000007